(57)【要約】【課題】保護者支援に用いられるプログラム、保護者支援方法、及び保護者支援システムを提供する。【解決手段】心拍を測定可能な測定装置を含むコンピュータに、子供の心拍と、前記子供の保護者の心拍とを、前記測定装置を用いて測定させる測定処理と、前記子供の心拍の測定結果と、前記保護者の心拍の測定結果とに基づいて、前記保護者に対する第１メッセージを、画面に表示させる第１表示処理と、を実行させるプログラムである。
2019130488.tif 000002
【特許請求の範囲】
【請求項１】
心拍を測定可能な測定装置を含むコンピュータに、
子供の心拍と、前記子供の保護者の心拍とを、前記測定装置を用いて測定させる測定処理と、
前記子供の心拍の測定結果と、前記保護者の心拍の測定結果とに基づいて、前記保護者に対する第１メッセージを、画面に表示させる第１表示処理と、
を実行させることを特徴とするプログラム。
【請求項２】
請求項１に記載のプログラムであって、
前記子供の心拍の測定結果に基づいて、前記子供の状態がリラックス状態にあるかストレス状態にあるかを判定する第１判定処理と、
前記保護者の心拍の測定結果に基づいて、前記保護者の状態がリラックス状態にあるかストレス状態にあるかを判定する第２判定処理と、を前記コンピュータに実行させ、
前記第１表示処理は、前記子供の状態と、前記保護者の状態とに応じた前記第１メッセージを、前記画面に表示させること、
を特徴とするプログラム。
【請求項３】
請求項２に記載のプログラムであって、
前記第１表示処理は、前記子供がストレス状態にあると判定され、前記保護者がリラックス状態にあると判定された場合、前記保護者に対し、前記子供をリラックスさせるための行動を促す前記第１メッセージを、前記画面に表示させること、
を特徴とするプログラム。
【請求項４】
請求項２または３に記載のプログラムであって、
前記第１表示処理は、前記子供及び前記保護者がリラックス状態にあると判定された場合、前記保護者に対し、前記保護者及び前記子供の活動を促す前記第１メッセージを、前記画面に表示させること、
を特徴とするプログラム。
【請求項５】
請求項２から４の何れか１項に記載のプログラムであって、
前記第１表示処理は、前記子供がリラックス状態にあると判定され、前記保護者がストレス状態にあると判定された場合、前記保護者に対し、前記保護者をリラックスさせるための行動を促す前記第１メッセージを、前記画面に表示させること、
を特徴とするプログラム。
【請求項６】
請求項２から５の何れか１項に記載のプログラムであって、
前記第１表示処理は、前記子供及び前記保護者がストレス状態にあると判定された場合、前記保護者に対し、前記保護者及び前記子供をリラックスさせるための行動を促す前記第１メッセージを、前記画面に表示させること、
を特徴とするプログラム。
【請求項７】
請求項２から６の何れか１項に記載のプログラムであって、
前記コンピュータは、心拍が測定される際に測定対象者の動きに応じた信号を出力する加速度計を含み、
前記第１判定処理は、前記加速度計から出力される前記子供の動きに応じた信号と、前記子供の心拍の測定結果と、に基づいて、前記子供の状態を判定し、
前記第２判定処理は、前記加速度計から出力される前記保護者の動きに応じた信号と、前記保護者の心拍の測定結果と、に基づいて、前記保護者の状態を判定すること、
を特徴とするプログラム。
【請求項８】
請求項２から７の何れか１項に記載のプログラムであって、
前記子供の生後からの期間を示す期間情報を入力するための入力画像を、前記画面に表示させる入力画像表示処理と、
入力された前記期間情報を受け付ける期間情報受付処理と、を前記コンピュータに実行させ、
前記第１判定処理は、前記期間情報と、前記子供の心拍の測定結果とに基づいて、前記子供の状態を判定すること、
を特徴とするプログラム。
【請求項９】
請求項８に記載のプログラムであって、
前記第１判定処理は、前記期間情報と、前記子供の心拍の測定結果と、前記子供の心拍の過去の測定結果を示す履歴情報と、に基づいて、前記子供の状態を判定すること、
を特徴とするプログラム。
【請求項１０】
請求項１から９の何れか１項に記載のプログラムであって、
前記子供の心拍の測定の際に、前記保護者に対し、子育てに関する第２メッセージを前記画面に表示させる第２表示処理を、前記コンピュータに実行させること、
を特徴とするプログラム。
【請求項１１】
請求項１から１０の何れか１項に記載のプログラムであって、
前記子供及び前記保護者のうち一方の心拍が測定された後、他方の心拍の測定を促す第３メッセージを、前記画面に表示させる第３表示処理を、前記コンピュータに実行させること、
を特徴とするプログラム。
【請求項１２】
請求項１から１１の何れか１項に記載のプログラムであって、
前記子供の心拍を測定させる際には、前記子供の手のひら部分を用いて前記子供の心拍の測定させることを促す第４メッセージを、前記画面に表示させる第４表示処理を、前記コンピュータに実行させること、
を特徴とするプログラム。
【請求項１３】
請求項１から１２の何れか１項に記載のプログラムであって、
前記子供または前記保護者の何れか一方の心拍の測定がされた測定時刻に応じた所定の時間帯において、少なくとも前記一方の心拍の測定を促す第５メッセージを、前記画面に表示させる第５表示処理を、前記コンピュータに実行させること、
を特徴とするプログラム。
【請求項１４】
請求項１から１３の何れか１項に記載のプログラムであって、
前記コンピュータに、
前記第１メッセージが前記画面に表示された後、前記保護者が、前記第１メッセージの内容を実施したか否かを示す実施情報の入力を促す第６メッセージを、前記画面に表示させる第６表示処理と、
入力された前記実施情報を受け付ける実施情報受付処理と、
受け付けられた前記実施情報に基づいて、前記第１メッセージの内容が実施されたか否かを判定する第３判定処理と、
前記第１メッセージの内容が実施されたと判定された後の前記子供または前記保護者の何れか一方の心拍の測定結果と、前記第１メッセージが表示させる際の前記一方の心拍の測定結果と、の比較結果に基づく情報を、前記画面に表示させる第７表示処理と、
を実行させること、を特徴とするプログラム。
【請求項１５】
請求項１から１４の何れか１項に記載のプログラムであって、
前記第１表示処理は、前記子供の心拍の測定結果と、前記保護者の心拍の測定結果と、時刻と、に基づいて、前記保護者に対する第１メッセージを、画面に表示させること、
を特徴とするプログラム。
【請求項１６】
心拍を測定可能な測定装置を含むコンピュータが、子供の心拍と、前記子供の保護者の心拍とを、前記測定装置を用いて測定する測定ステップと、
前記子供の心拍の測定結果と、前記保護者の心拍の測定結果とに基づいて、前記コンピュータが、前記保護者に対する第１メッセージを、画面に表示する第１表示ステップと、
を含むことを特徴とする保護者支援方法。
【請求項１７】
心拍を測定可能な測定装置を含むコンピュータシステムであって、
子供の心拍と、前記子供の保護者の心拍とを、前記測定装置を用いて測定する測定部と、
前記子供の心拍の測定結果と、前記保護者の心拍の測定結果とに基づいて、前記保護者に対する第１メッセージを、画面に表示する第１表示処理部と、
を含むことを特徴とするコンピュータシステム。
【発明の詳細な説明】
【技術分野】
【０００１】
本発明は、保護者支援に用いられるプログラム、保護者支援方法、及び保護者支援システムに関する。
【背景技術】
【０００２】
特許文献１には、心拍数等に基づいて、測定者の健康状態を把握する技術が開示されている。
【先行技術文献】
【特許文献】
【０００３】
【特許文献１】特開平９−１８７４２９号
【発明の概要】
【発明が解決しようとする課題】
【０００４】
ところで、育児中の保護者は、一般に、子供からのストレスと、子育てとは関係のないストレスとを受ける。しかしながら、特許文献１に開示された技術では、自分がストレスを受けていることを把握できるとしても、ストレスの原因が子供にあるか、自分自身にあるかの判別をすることができない。このため、子育て中の保護者は、ストレスの原因を適切に把握し、対処することが困難であった。【０００５】
本発明は、上記のような従来の問題に鑑みてなされたものであって、その目的は、保護者支援に用いられるプログラム、保護者支援方法、及び保護者支援システムを提供することにある。
【課題を解決するための手段】
【０００６】
上記目的を達成するための主たる発明は、心拍を測定可能な測定装置を含むコンピュータに、
子供の心拍と、前記子供の保護者の心拍とを、前記測定装置を用いて測定させる測定処理と、前記子供の心拍の測定結果と、前記保護者の心拍の測定結果とに基づいて、前記保護者に対する第１メッセージを、画面に表示させる第１表示処理と、を実行させるプログラムである。
【発明の効果】
【０００７】
本発明によれば、子育て中の保護者は、ストレスの原因を適切に把握し、対処することができる。
【図面の簡単な説明】
【０００８】
【図１】端末１０の機能ブロックを示す図である。
【図２】メッセージデータ４３を説明するための図である。
【図３】測定処理部５０に含まれるブロックを示す図である。
【図４】状態判定処理部５１ａ，５１ｂに含まれるブロックを示す図である。
【図５】保護者支援処理を示すフローチャートである。
【図６】乳幼児の心拍測定処理を示すフローチャートである。
【図７】乳幼児の心拍が測定される前に表示される画面７０である。
【図８】乳幼児の心拍の測定中に表示される画面７１である。
【図９】乳幼児の状態判定処理を示すフローチャートである。
【図１０】閾値Ｔａを説明するための図である。
【図１１】乳幼児の心拍の測定結果等を示す画面７２である。
【図１２】保護者の心拍測定処理を示すフローチャートである。
【図１３】保護者の心拍が測定される前に表示される画面７３である。
【図１４】保護者の心拍の測定中に表示される画面７４である。
【図１５】保護者の状態判定処理を示すフローチャートである。
【図１６】保護者の心拍の測定結果等を示す画面７５である。
【図１７】乳幼児及び保護者の状態等を示す画面７６である。
【図１８】メッセージ表示処理を示すフローチャートである。
【図１９】保護者に対するメッセージを含む画面７７である。
【図２０】メッセージの内容が実施されたかを確認するためのフローチャートである。
【図２１】メッセージの内容が実施されたかを確認するための画面７８である。
【図２２】メッセージの内容が実施された際に表示される画面７９である。
【発明を実施するための形態】
【０００９】
本明細書及び添付図面の記載により、少なくとも以下の事項が明らかとなる。  
心拍を測定可能な測定装置を含むコンピュータに、子供の心拍と、前記子供の保護者の心拍とを、前記測定装置を用いて測定させる測定処理と、前記子供の心拍の測定結果と、前記保護者の心拍の測定結果とに基づいて、前記保護者に対する第１メッセージを、画面に表示させる第１表示処理と、を実行させるプログラムである。
【００１０】
このようなプログラムによれば、子育て中の保護者は、ストレスの原因を適切に把握し、対処することができる。
【００１１】
かかるプログラムであって、前記子供の心拍の測定結果に基づいて、前記子供の状態がリラックス状態にあるかストレス状態にあるかを判定する第１判定処理と、前記保護者の心拍の測定結果に基づいて、前記保護者の状態がリラックス状態にあるかストレス状態にあるかを判定する第２判定処理と、を前記コンピュータに実行させ、前記第１表示処理は、前記子供の状態と、前記保護者の状態とに応じた前記第１メッセージを、前記画面に表示させること、が望ましい。
【００１２】
このようなプログラムによれば、子供と保護者のそれぞれの状態が確実に反映された第１メッセージを画面に表示させることができる。
【００１３】
かかるプログラムであって、前記第１表示処理は、前記子供がストレス状態にあると判定され、前記保護者がリラックス状態にあると判定された場合、前記保護者に対し、前記子供をリラックスさせるための行動を促す前記第１メッセージを、前記画面に表示させること、が望ましい。
【００１４】
このようなプログラムによれば、保護者は、子供のストレスを軽減することが可能となる。
【００１５】
かかるプログラムであって、前記第１表示処理は、前記子供及び前記保護者がリラックス状態にあると判定された場合、前記保護者に対し、前記保護者及び前記子供の活動を促す前記第１メッセージを、前記画面に表示させること、が望ましい。
【００１６】
このようなプログラムによれば、保護者及び子供の交流頻度が増え、より充実した子育てが可能となる。
【００１７】
かかるプログラムであって、前記第１表示処理は、前記子供がリラックス状態にあると判定され、前記保護者がストレス状態にあると判定された場合、前記保護者に対し、前記保護者をリラックスさせるための行動を促す前記第１メッセージを、前記画面に表示させること、が望ましい。
【００１８】
このようなプログラムによれば、ストレスを受けている保護者に対し、客観的なストレス軽減方法を提供できる。
【００１９】
かかるプログラムであって、前記第１表示処理は、前記子供及び前記保護者がストレス状態にあると判定された場合、前記保護者に対し、前記保護者及び前記子供をリラックスさせるための行動を促す前記第１メッセージを、前記画面に表示させること、が望ましい。
【００２０】
このようなプログラムによれば、保護者に適切な行動をとることを促すことができるため、効果的にストレスを軽減できる。
【００２１】
かかるプログラムであって、前記コンピュータは、心拍が測定される際に測定対象者の動きに応じた信号を出力する加速度計を含み、前記第１判定処理は、前記加速度計から出力される前記子供の動きに応じた信号と、前記子供の心拍の測定結果と、に基づいて、前記子供の状態を判定し、前記第２判定処理は、前記加速度計から出力される前記保護者の動きに応じた信号と、前記保護者の心拍の測定結果と、に基づいて、前記保護者の状態を判定すること、が望ましい。
【００２２】
このようなプログラムによれば、子供及び保護者の状態を、高精度で判定できる。
【００２３】
かかるプログラムであって、前記子供の生後からの期間を示す期間情報を入力するための入力画面を、前記画面に表示させる入力画面表示処理と、入力された前記期間情報を受け付ける期間情報受付処理と、を前記コンピュータに実行させ、前記第１判定処理は、前記期間情報と、前記子供の心拍の測定結果とに基づいて、前記子供の状態を判定すること、が望ましい。
【００２４】
このようなプログラムによれば、心拍数が月齢（生後からの期間）に応じて低下する子供の状態も正確に把握できる。
【００２５】
かかるプログラムであって、前記第１判定処理は、前記期間情報と、前記子供の心拍の測定結果と、前記子供の心拍の過去の測定結果を示す履歴情報と、に基づいて、前記子供の状態を判定すること、が望ましい。
【００２６】
このようなプログラムによれば、子供の特性を考慮して状態が判定されるため、判定精度が向上する。
【００２７】
かかるプログラムであって、前記子供の心拍の測定の際に、前記保護者に対し、子育てに関する第２メッセージを前記画面に表示させる第２表示処理を、前記コンピュータに実行させること、が望ましい。
【００２８】
このようなプログラムによれば、保護者は、適切なタイミングで子育て情報を取得できるため、子育てに関する知見を増やすことができる。
【００２９】
かかるプログラムであって、前記子供及び前記保護者のうち一方の心拍が測定された後、他方の心拍の測定を促す第３メッセージを、前記画面に表示させる第３表示処理を、前記コンピュータに実行させること、が望ましい。
【００３０】
このようなプログラムによれば、保護者に対し、確実に子供と保護者の心拍を測定させることが可能となる。
【００３１】
かかるプログラムであって、前記子供の心拍を測定させる際には、前記子供の手のひら部分を用いて前記子供の心拍の測定させることを促す第４メッセージを、前記画面に表示させる第４表示処理を、前記コンピュータに実行させること、が望ましい。
【００３２】
このようなプログラムによれば、子供の心拍の測定精度を向上させることが可能となる。
【００３３】
かかるプログラムであって、請求項１から１２の何れか１項に記載のプログラムであって、
前記子供または前記保護者の何れか一方の心拍の測定がされた測定時刻に応じた所定の時間帯において、少なくとも前記一方の心拍の測定を促す第５メッセージを、前記画面に表示させる第５表示処理を、前記コンピュータに実行させること、が望ましい。
【００３４】
このようなプログラムによれば、所定の時間帯における心拍、状態の長期間にわたる変化を把握することができ、経過観察が容易となる。
【００３５】
かかるプログラムであって、前記コンピュータに、前記第１メッセージが前記画面に表示された後、前記保護者が、前記第１メッセージの内容を実施したか否かを示す実施情報の入力を促す第６メッセージを、前記画面に表示させる第６表示処理と、入力された前記実施情報を受け付ける実施情報受付処理と、受け付けられた前記実施情報に基づいて、前記第１メッセージの内容が実施されたか否かを判定する第３判定処理と、前記第１メッセージの内容が実施されたと判定された後の前記子供または前記保護者の何れか一方の心拍の測定結果と、前記第１メッセージが表示させる際の前記一方の心拍の測定結果と、の比較結果に基づく情報を、前記画面に表示させる第７表示処理と、を実行させること、が望ましい。
【００３６】
このような方法によれば、保護者は、第１メッセ―ジの内容を実施することの効果を把握することができる。
【００３７】
かかるプログラムであって、前記第１表示処理は、前記子供の心拍の測定結果と、前記保護者の心拍の測定結果と、時刻と、に基づいて、前記保護者に対する第１メッセージを、画面に表示させること、が望ましい。
【００３８】
このようなコンピュータシステムによれば、時刻に適した第１メッセージが表示されるため、保護者は、ストレス軽減に最適な行動をとることが可能となる。
【００３９】
心拍を測定可能な測定装置を含むコンピュータが、子供の心拍と、前記子供の保護者の心拍とを、前記測定装置を用いて測定する測定ステップと、前記子供の心拍の測定結果と、前記保護者の心拍の測定結果とに基づいて、前記コンピュータが、前記保護者に対する第１メッセージを、画面に表示する第１表示ステップと、を含むことを特徴とする保護者支援方法である。
【００４０】
このような方法によれば、子育て中の保護者は、ストレスの原因を適切に把握し、対処することができる。
【００４１】
心拍を測定可能な測定装置を含むコンピュータシステムであって、子供の心拍と、前記子供の保護者の心拍とを、前記測定装置を用いて測定する測定部と、前記子供の心拍の測定結果と、前記保護者の心拍の測定結果とに基づいて、前記保護者に対する第１メッセージを、画面に表示する第１表示処理部と、を含むことを特徴とするコンピュータシステムである。
【００４２】
このようなコンピュータシステムによれば、子育て中の保護者は、ストレスの原因を適切に把握し、対処することができる。
【００４３】
＝＝＝本実施形態＝＝＝
図１は、端末１０の機能上の構成を示すブロック図である。端末１０は、端末１０の利用者（以下、単に「利用者」という。）の操作結果に応じて、利用者のストレスを軽減するためのアドバイス等を画面（後述）に表示させる。
【００４４】
端末１０（コンピュータ）は、例えばスマートフォンであり、記憶部２０、制御部２１、入力部２２、画面２３、カメラ２４、加速度計２５、計時部２６、及び通信部２７を有している。
【００４５】
記憶部２０は、端末１０のプロセッサ（不図示）が実行するプログラム４０や、閾値データ４１ａ，４１ｂ、履歴データ４２ａ，４２ｂ、及びメッセージデータ４３を記憶する。プログラム４０は、利用者のストレスの緩和を支援するために用いられるプログラムである。
【００４６】
閾値データ４１ａは、乳幼児（子供）がリラックス状態にあるかストレス状態にあるかを判定する際に用いられる閾値Ｔａを示すデータであり、閾値データ４１ｂは、乳幼児の保護者がリラックス状態にあるかストレス状態にあるかを判定する際に用いられる閾値Ｔｂを示すデータである。なお、閾値データ４１ａ，４１ｂの詳細は後述する。
【００４７】
履歴データ４２ａは、過去に測定された乳幼児の心拍数に関するデータと、測定時刻に関するデータであり、履歴データ４２ｂは、過去に測定された保護者の心拍数に関するデータと、測定時刻に関するデータである。なお、測定時刻に関するデータには、心拍数の測定が開始された際の時刻（「測定時刻」）と、測定時刻が属する１時間毎の時間帯（「測定時間帯」）と、の情報が含まれる。例えば、「測定時刻」が８時１５分である場合、「測定時間帯」は、８時〜９時の間であるため「８」となる。また、本実施形態では、乳幼児及び保護者の心拍数が測定される毎に、履歴データ４２ａ，４２ｂは更新される。
【００４８】
メッセージデータ４３は、乳幼児及び保護者の夫々の状態と、心拍が測定された際の時刻と、に応じたメッセージを示すデータである。図２は、メッセージデータ４３を説明するための図である。メッセージデータ４３は、「乳幼児の状態（リラックスまたはストレス）」、「保護者の状態（リラックスまたはストレス）」、及び「時間帯（朝、昼、夜）」の３つの要素に応じたデータを含む。ここで、「朝」は、例えば６時〜１１時の時間帯であり、「昼」は、１１時〜１８時の時間帯であり、「夜」は、１８時〜６時までの時間帯である。
【００４９】
例えば、乳幼児及び保護者が「リラックス状態」であり、測定された時間が「昼」である場合、メッセージデータ４３として、乳幼児及び保護者の活動を促す『親子でリズム体操をして下さい。』を示すデータが選択される。
【００５０】
また、乳幼児が「ストレス状態」であり、保護者が「リラックス状態」であり、測定された時間が「昼」である場合、メッセージデータ４３として、乳幼児をリラックスさせるための行動を促す『抱っこして、おむつ替えソングを歌って下さい。』を示すデータが選択される。
【００５１】
また、乳幼児が「リラックス状態」であり、保護者が「ストレス状態」であり、測定された時間が「昼」である場合、メッセージデータ４３として、保護者をリラックスさせるための行動を促す『ハーブティーを飲みながら、音楽を聴いて下さい。』を示すデータが選択される。
【００５２】
また、乳幼児及び保護者が「ストレス状態」であり、測定された時間が「昼」である場合、メッセージデータ４３として、乳幼児及び保護者をリラックスさせるための行動を促す『一緒にお昼寝して下さい。ファミリーサポート（カウンセリング）も効果があります。』を示すデータが選択される。
【００５３】
制御部２１は、端末１０に設けられたプロセッサ（不図示）が、プログラム４０を実行することにより、端末１０に実現される機能ブロックである。制御部２１は、端末１０を統括制御するとともに、各種処理を実行するブロックを複数含む。なお、制御部２１に実現される機能ブロックについての詳細は後述する。
【００５４】
入力部２２には、端末１０の利用者の操作結果が入力される。入力部２２は、端末１０のタッチパネルである画面２３のタップ操作により実現される。画面２３は、制御部２１からの指令や利用者の操作結果に基づいて、利用者へのアドバイスや各種情報を表示する。
【００５５】
カメラ２４（測定装置）は、発行ダイオード（不図示）から光が、指や手の平等の部位に照射された際、血流からの反射光を測定する。つまり、本実施形態のカメラ２４は、一般的な写真や動画を撮影する装置以外に、光学式の心拍（脈拍）測定装置として動作する。
【００５６】
加速度計２５は、端末１０にかけられる力に応じた加速度を計測し、計時部２６は、時刻を計時する。通信部２７は、端末１０と、他の端末やサーバ（不図示）との間で情報のやり取りを行う。
【００５７】
＝＝制御部２１に実現される機能ブロック＝＝
制御部２１は、測定処理部５０、状態判定処理部５１ａ，５１ｂ、メッセージ表示処理部５２、及び実施確認処理部５３を含む。
【００５８】
測定処理部５０は、測定対象者の心拍数や端末１０の加速度を測定するブロックであり、図３に示すように、表示処理部１００、受付処理部１０１、加速度測定処理部１０２、心拍測定処理部１０３、及び計算処理部１０４を含む。
【００５９】
表示処理部１００は、所定の条件で、心拍の測定を促すメッセージや乳幼児の月齢を入力させる画像を、画面２３に表示させる。また、表示処理部１００は、測定された心拍の波形等を画面２３に表示させる。
【００６０】
受付処理部１０１は、入力された乳幼児の月齢を受け付ける。加速度測定処理部１０２は、加速度計２５からの出力に基づいて、端末１０の加速度を測定する。
【００６１】
心拍測定処理部１０３は、カメラ２４から出力される信号を処理し、測定対象者の心拍数を測定する。
【００６２】
計算処理部１０４は、測定対象者に疲労がたまっているか否かを示す「自律神経のパワー」を計算する。具体的には、計算処理部１０４は、測定された心拍の間隔（Ｒ−Ｒ間隔）の周波数解析を実行し、低周波成分（０．０４〜０．１５Ｈｚ）のスペクトル密度と、高周波成分（０．１５〜０．４Ｈｚ）のスペクトル密度との和を、「自律神経のパワー」とする。なお、一般に「自律神経のパワー」の値が高い程、測定対象者の疲労は少ない。
【００６３】
状態判定処理部５１ａは、乳幼児がリラックス状態にあるかストレス状態にあるかを判定するブロックであり、図４に示すように、閾値処理部１２０ａ、判定処理部１２１ａ、及び表示処理部１２２ａを含む。
【００６４】
閾値処理部１２０ａは、乳幼児の状態を判定する際に用いられる閾値Ｔａを定める。具体的には、閾値処理部１２０ａは、月齢に応じて変化する閾値データ４１ａ、履歴データ４２ａ、端末１０の加速度、及び乳幼児の月齢に基づいて、閾値Ｔａを定める。なお、閾値処理部１２０ａが実行する処理の詳細は後述する。
【００６５】
判定処理部１２１ａは、測定された心拍数と、閾値Ｔａとを比較し、乳幼児の状態を判定する。具体的には、判定処理部１２１ａは、測定された心拍数が、閾値Ｔａより高い場合、乳幼児はストレス状態にあると判定し、測定された心拍数が、閾値Ｔａより低い場合、乳幼児はリラックス状態にあると判定する。
【００６６】
表示処理部１２２ａは、判定処理部１２１ａの判定結果に基づいた画像を、画面２３に表示させる。
【００６７】
状態判定処理部５１ｂは、保護者がリラックス状態にあるかストレス状態にあるかを判定するブロックであり、図４に示すように、閾値処理部１２０ｂ、判定処理部１２１ｂ、及び表示処理部１２２ｂを含む。
【００６８】
閾値処理部１２０ｂは、保護者の状態を判定する際に用いられる閾値Ｔｂを定める。閾値処理部１２０ｂは、所定の閾値データ４１ｂ、履歴データ４２ｂ、端末１０の加速度に基づいて、閾値Ｔｂを定める。なお、閾値処理部１２０ｂが実行する処理の詳細は後述する。
【００６９】
判定処理部１２１ｂは、測定された心拍数と、閾値Ｔｂとを比較し、保護者の状態を判定する。具体的には、判定処理部１２１ａは、測定された心拍数が、閾値Ｔｂより高い場合、保護者はストレス状態にあると判定し、測定された心拍数が、閾値Ｔｂより低い場合、保護者はリラックス状態にあると判定する。
【００７０】
表示処理部１２２ｂは、判定処理部１２１ｂの判定結果に基づいた画像を、画面２３に表示させる。
【００７１】
メッセージ表示処理部５２は、メッセージデータ４３から、乳幼児及び保護者の夫々の状態と、時刻とに応じたデータを選択し、保護者に対するメッセージとして画面２３に表示させる。
【００７２】
実施確認処理部５３は、保護者が、画面２３に表示されたアドバイスを実施したか否かを判定し、各種処理を行う。
【００７３】
＜＜＜保護者支援方法＞＞＞
図５は、端末１０で実行される保護者支援処理を示すフローチャートである。なお、ここでは、保護者支援処理の全体の流れを説明し、図５の各ステップの詳細は後述する。また、プログラム４０は、端末１０の操作結果により、起動されていることとする。
【００７４】
まず、画面２３に表示されたメイン画面（後述）を、利用者が操作すると、測定処理部５０は、乳幼児の心拍を測定する処理を実行する（Ｓ１）。そして、乳幼児の心拍の測定が終了すると、状態判定処理部５１ａは、乳幼児の状態を判定する処理を実行する（Ｓ２）。
【００７５】
乳幼児の状態が判定されると、測定処理部５０は、保護者の心拍を測定する処理を実行する（Ｓ３）。また、状態判定処理部５１ｂは、保護者の状態を判定する処理を実行する（Ｓ４）。メッセージ表示処理部５２は、得られた判定結果及び時刻に基づいて、保護者に対するメッセージ（後述）を画面２３に表示させる（Ｓ５）。実施確認処理部５３は、画面２３に表示されたアドバイスを実施したか否かを判定し、実施されたアドバイスの効果を画面２３に表示させる（Ｓ６）。
【００７６】
＜＜乳幼児の心拍測定処理（Ｓ１：測定処理）＞＞
図６は、乳幼児の心拍測定処理を示すフローチャートであり、図７は、乳幼児の心拍が測定される前に表示される画面７０であり、図８は、乳幼児の心拍の測定中に表示される画面７１である。なお、ここで乳幼児は、「さくら」という名前の女の子（生後１２カ月）であり、保護者は、さくらちゃんの母親（「ゆきこ」）であることとする。
【００７７】
まず、保護者がメイン画面（不図示）を操作し、プログラム４０を起動する。表示処理部１００は、履歴データ４２ａに基づいて、現在の時刻が、過去に心拍が測定された「測定時間帯（所定の時間帯）」に含まれるか否かを判定する（Ｓ１０）。そして、現在の時刻が、「測定時間帯」に含まれると（Ｓ１０：Ｙｅｓ）、画面７０を、端末１０の画面２３に表示させる。具体的には、表示処理部１００は、乳幼児の心拍数の測定を促す画像２００を画面２３に表示させる（Ｓ１１：第５表示処理）。ここで、画像２００は、『さくらちゃんを測定してみてね』とのメッセージ（第５メッセージ）である。このようなメッセージに基づいて、保護者は、過去の測定時間帯と同じ時間帯に乳幼児の心拍測定を実行できるため、乳幼児の心拍変動及び状態の経過観察が容易となる。
【００７８】
表示処理部１００は、乳幼児の月齢情報（期間情報）の入力を促す画像２０１（入力画像）と、月齢情報を受け付けるための画像２０２を、画面２３に表示させる（Ｓ１２：入力画像表示処理）。なお、画像２０１は、『さくらちゃんの月齢を入力してね』とのメッセージであり、画像２０２は、『〇〇ヶ月』との表示である。保護者が、画面２３をタップして、さくらちゃんの月齢（１２カ月）を入力すると、受付処理部１０１は、入力された月齢情報を受け付ける（Ｓ１３：期間情報受付処理）。そして、表示処理部１００は、乳幼児の手のひら部分を用いて心拍数を測定させることを促す画像２０３と、測定を開始させるためのスタートアイコン２０４とを、画面２３に表示させる（Ｓ１４：第４表示処理）。なお、画像２０３は、『さくらちゃんの手のひらで測定してね』とのメッセージ（第４メッセージ）である。一般に、保護者は、乳幼児の指をカメラ２４のレンズ（不図示）に向けて、心拍を測定させることも可能である。しかしながら、乳幼児の指は細いため、心拍の測定精度が悪くなることがある。一方、乳幼児であっても手のひらの面積は大きいため、より精度良く心拍の測定が可能となる。
【００７９】
保護者が、さくらちゃんの手のひらを、カメラ２４のレンズ（不図示）にあてた後、画面２３に表示されたスタートアイコン２０４をタップすると、加速度測定処理部１０２は、加速度計２５からの信号に基づいて、さくらちゃんの動きに応じた加速度を測定する（Ｓ１５）。また、心拍測定処理部１０３は、手のひらからの反射光に基づいて、乳幼児の心拍を測定する（Ｓ１６）。さらに、計算処理部は、処理Ｓ１６において測定された心拍から、「自律神経のパワー」を計算する（Ｓ１７）。
【００８０】
表示処理部１００は、乳幼児の心拍の測定中に表示される画面７１を、画面２３に表示する（Ｓ１８：第２表示処理）。画面７１は、さくらちゃんの心拍数を示す画像２１０、心拍の波形を示す画像２１１、「自律神経のパワー」のレベル（低〜高）を示す画像２１２、及び保護者への子育てに関するメッセージ（第２メッセージ）を示す画像２１３を含む。ここで、表示処理部１００は、測定された日の翌日の天気予報の情報を、インターネット（不図示）を介して取得し、画像２１３を生成する。このため、画像２１３は、『ママ、今日もありがとう。明日は晴れそうだから、お出かけしない？』と、翌日の天気に応じた子育てに関するメッセージを含むことになる。このような、メッセージが表示されることにより、保護者は乳幼児との繋がりをより強く感じるとともに、効果的な子育が可能となる。なお、表示処理部１００は、外出に関するメッセージを表示したが、これに限られず、子育てに関するメッセージであれば良い。例えば、表示処理部１００は、月齢情報に基づいて、『さくらちゃんはもうすぐ〇〇ヶ月検診ですよ！』とのメッセージを表示しても良い。
【００８１】
そして、心拍測定処理部１０３は、乳幼児の心拍の測定が終了したか否かを判定し（Ｓ１９）、測定が終了していないと判定した場合は（Ｓ１９：Ｎｏ）、処理Ｓ１５を実行させる。一方、心拍測定処理部１０３は、測定が終了したと判定した場合は（Ｓ１９：Ｙｅｓ）、測定結果である乳幼児の心拍数を、計時部２６で計時された時刻とともに、記憶部２０に格納する（Ｓ２０）。この結果、記憶部２０の履歴データ４２ａ（心拍数、「測定時刻」、「測定時間帯」）は、更新されることになる。
【００８２】
＜＜乳幼児の状態判定処理（Ｓ２：第１判定処理）＞＞
図９は、乳幼児の状態判定処理を示すフローチャートであり、図１０は、閾値Ｔａを説明するための図であり、図１１は、乳幼児の心拍の測定結果等を示す画面７２である。
【００８３】
まず、閾値処理部１２０ａは、記憶部２０に記憶された閾値データ４１ａを取得する（Ｓ３０）。ここで、閾値データ４１ａは、平均的な乳幼児における月齢と、心拍数との関係を示すデータであり、例えば、図１０の一点鎖線３００（閾値Ｔａ）として表される。一点鎖線３００で示されているように、一般に、乳幼児の心拍数は、成長するに従って低下する。
【００８４】
また、閾値処理部１２０ａは、履歴データ４２ａ（履歴情報）と、処理Ｓ１５で測定された加速度とを取得し、閾値Ｔａを調整する（Ｓ３１）。上述のように、一点鎖線３００で示す閾値Ｔａは、平均的な乳幼児における月齢と、心拍数との関係である。このため、例えば、さくらちゃんの過去の心拍数の平均値が、平均的な乳幼児の心拍数より高いと、閾値Ｔａを高くする必要がある。一方、さくらちゃんの心拍数の平均値が、平均的な乳幼児の心拍数より低いと、閾値Ｔａを低くする必要がある。また、例えば、さくらちゃんの心拍が測定される前に、さくらちゃんが良く動いていた場合（加速度が大きい場合）、通常より高い心拍数が測定されるため、閾値Ｔａを高くする必要がある。本実施形態の閾値処理部１２０ａは、さくらちゃんの過去の心拍数の測定結果を示す履歴データ４２ａと、加速度を参照することにより、適切な閾値Ｔａを求める。
【００８５】
ここで、さくらちゃんの心拍数の平均値は高く、さくらちゃんの心拍が測定された際、加速度が大きいとすると、閾値処理部１２０ａは、履歴データ４２ａと、加速度に基づいて、閾値Ｔａを上昇させる。この結果、閾値Ｔａは、一点鎖線３００から、実線３０１へと変更される。
【００８６】
つぎに、判定処理部１２１ａは、測定された「心拍数Ｘ」と、月齢に対する閾値Ｔａの「心拍数Ｙ」とを比較する（Ｓ３２）。なお、「心拍数Ｙ」は、さくらちゃんの月齢である「１２カ月」の閾値Ｔａの応じた心拍数である。「心拍数Ｘ」が「心拍数Ｙ」より高い場合（Ｓ３２：Ｙｅｓ）、判定処理部１２１ａは、乳幼児がストレス状態にあると判定する（Ｓ３３）。一方、「心拍数Ｘ」が「心拍数Ｙ」より低い場合（Ｓ３２：Ｎｏ）、判定処理部１２１ａは、乳幼児がリラックス状態にあると判定する（Ｓ３４）。なお、本実施形態では、さくらちゃんの「心拍数Ｘ」は、「心拍数Ｙ」より高いため、さくらちゃんの状態は、「ストレス状態」であると判定される。
【００８７】
表示処理部１２２ａは、図１１に示すように、判定処理部１２１ａの判定結果に基づいた画面７２を、画面２３に表示させる（Ｓ３５）。ここで、画面７２は、さくらちゃんの心拍数の変化を示す画像２２０、「自律神経のパワー」の変化を示す画像２２１、及び保護者へのメッセージを示す画像２２２を含む。ここで、画像２２２は、さくらちゃんの状態に関するメッセージであり、『さくらちゃんはストレスを感じているようです。』と表している。このようなメッセージが表示されるため、保護者は、乳幼児の状態を適切に把握することができる。
【００８８】
＜＜保護者の心拍測定処理（Ｓ３：測定処理）＞＞
図１２は、保護者の心拍測定処理を示すフローチャートであり、図１３は、保護者の心拍が測定される前に表示される画面７３であり、図１４は、保護者の心拍の測定中に表示される画面７４である。
【００８９】
まず、表示処理部１００は、画面７３を、端末１０の画面２３に表示させる（Ｓ４０：第３表示処理）。具体的には、表示処理部１００は、保護者の心拍数の測定を促す画像２３０と、キャラクターの画像２３１と、測定を開始させるためのスタートアイコン２３２を含む画面７３を、画面２３に表示させる。なお、画像２３０は、『さくらちゃんの測定は終わったよ  ママも測定してみてね』とのメッセージ（第３メッセージ）である。
【００９０】
保護者が、自身の手の指を、カメラ２４のレンズ（不図示）にあてた後、画面２３に表示されたスタートアイコン２３２をタップすると、加速度測定処理部１０２は、端末１０の加速度を測定する（Ｓ４１）。また、心拍測定処理部１０３は、指からの反射光に基づいて、保護者の心拍を測定する（Ｓ４２）。さらに、計算処理部は、測定された心拍から「自律神経のパワー」を計算する（Ｓ４３）。
【００９１】
表示処理部１００は、保護者の心拍の測定中に表示される画面７４を、画面２３に表示する（Ｓ４４）。画面７４は、保護者であるゆきこさんの心拍数を示す画像２４０、心拍の波形を示す画像２４１、「自律神経のパワー」のレベル（低〜高）を示す画像２４２、及び保護者へのメッセージを示す画像２４３を含む。画像２４３は、『ゆきこさん、今日もいっぱい頑張ったね』と、保護者を励ますメッセージを含む。このようなメッセージは、子育てによるストレスの軽減に有効である。
【００９２】
心拍測定処理部１０３は、保護者の心拍の測定が終了したか否かを判定し（Ｓ４５）、測定が終了していないと判定した場合は（Ｓ４５：Ｎｏ）、処理Ｓ４１を実行させる。一方、心拍測定処理部１０３は、測定が終了したと判定した場合は（Ｓ４５：Ｙｅｓ）、測定結果である保護者の心拍数を、計時部２６で計時された時刻とともに、記憶部２０に格納する（Ｓ４６）。この結果、記憶部２０の履歴データ４２ｂ（心拍数、「測定時刻」、「測定時間帯」）は、更新されることになる。なお、処理Ｓ４１〜Ｓ４６は、前述した処理Ｓ１５〜Ｓ２０と同様である。
【００９３】
＜＜保護者の状態判定処理（Ｓ４：第２判定処理）＞＞
図１５は、保護者の状態判定処理を示すフローチャートであり、図１６は、保護者の心拍の測定結果等を示す画面７５であり、図１７は、乳幼児及び保護者の状態等を示す画面７６である。
【００９４】
まず、閾値処理部１２０ｂは、記憶部２０に記憶された閾値データ４１ｂを取得する（Ｓ５０）。ここで、閾値データ４１ｂは、平均的な成人の心拍数（以下、「平均成人心拍数」とする。）を示し、所定の値（閾値Ｔｂ）のデータである。また、閾値処理部１２０ｂは、履歴データ４２ｂと、処理Ｓ４１で測定された加速度とを取得し、閾値Ｔｂを調整する（Ｓ５１）。
【００９５】
例えば、ゆきこさんの心拍数の平均値が「平均成人心拍数」より高いと、閾値Ｔｂを高くする必要があり、ゆきこさんの心拍数の平均値が「平均成人心拍数」より低いと、閾値Ｔｂを低くする必要がある。また、例えば、ゆきこさんの心拍が測定される前に、ゆきこさんが運動していた場合（加速度が大きい場合）、通常より高い心拍数が測定されるため、閾値Ｔｂを高くする必要がある。このように、閾値処理部１２０ｂは、ゆきこさんの過去の心拍数の測定結果を示す履歴データ４２ｂと、加速度を参照することにより、適切な閾値Ｔｂを求める。ここで、ゆきこさんの通常の心拍は低い傾向があり、ゆきこさんの心拍が測定された際、加速度がほぼゼロであると、閾値処理部１２０ｂは、閾値Ｔｂを低下させる。
【００９６】
つぎに、判定処理部１２１ｂは、測定された「心拍数Ｐ」と、調整された閾値Ｔｂに対応する「心拍数Ｑ」とを比較する（Ｓ５２）。判定処理部１２１ｂは、「心拍数Ｐ」が「心拍数Ｑ」より高い場合（Ｓ５２：Ｙｅｓ）、保護者はストレス状態にあると判定する（Ｓ５３）。一方、判定処理部１２１ｂは、「心拍数Ｐ」が「心拍数Ｑ」より低い場合（Ｓ５２：Ｎｏ）、保護者はリラックス状態にあると判定する（Ｓ５４）。なお、本実施形態では、ゆきこさんの「心拍数Ｐ」は、「心拍数Ｑ」より低いため、ゆきこさんの状態は、「リラックス状態」であると判定される。
【００９７】
表示処理部１２２ｂは、図１６に示すように、測定結果や判定結果を示す画面７５を、画面２３に表示させる（Ｓ５５）。ここで、画面７５は、保護者のリラックス度合いを示す画像２５０、「自律神経のパワー」の変化を示す画像２５１、及び保護者へのメッセージを示す画像２２２を含む。
【００９８】
ここで、画像２５０は、「心拍数Ｐ」と「心拍数Ｑ」との差に応じて、リラックス度合い（ストレス度合い）が表示される。具体的には、「心拍数Ｐ」が「心拍数Ｑ」より小さくなるにつれて、リラックス度合いが高くなり、「心拍数Ｐ」が「心拍数Ｑ」より高くなるにつれて、ストレス度合いが高くなる。また、画像２５２は、ゆきこさんの状態に関するメッセージであり、『ゆきこさんはリラックスしているようです』を表している。このようなメッセージが表示されるため、保護者は、自身の状態を適切に把握することができる。
【００９９】
また、保護者が、所定の操作を行うと、表示処理部１２２ｂは、図１７に示すように、乳幼児及び保護者の状態等を示す画面７６を、画面２３に表示させる（Ｓ５５）。画面７６は、さくらちゃんの心拍数を示す画像２６０、さくらちゃんの状態を示す画像２６１、ゆきこママ（ゆきこさん）の心拍数を示す画像２６２、及びゆきこママの状態を示す画像２６３を含む。このため、保護者は、乳幼児及び保護者の両方の状態を適切に把握することができる。
【０１００】
＜＜メッセージ表示処理（Ｓ５）＞＞
図１８は、メッセージ表示処理を示すフローチャートであり、図１９は、保護者に対するメッセージを含む画面７７である。
【０１０１】
まず、メッセージ表示処理部５２は、計時部２６が計時する現在の時刻を示す「時刻情報」を取得する（Ｓ６０）。そして、メッセージ表示処理部５２は、上述した「乳幼児の状態判定処理」の結果に基づいて、乳幼児の状態を判定する（Ｓ６１）。メッセージ表示処理部５２は、乳幼児がストレス状態にある場合（Ｓ６１：ストレス）、保護者の状態を判定する（Ｓ６２）。
【０１０２】
＜乳幼児：ストレス、保護者：ストレス＞
保護者がストレス状態にある場合（Ｓ６２：ストレス）、メッセージ表示処理部５２は、保護者及び乳幼児をリラックスさせるための行動を促すメッセージを、画面２３に表示させる（Ｓ６３：第１表示処理）。なお、処理Ｓ６３において、メッセージ表示処理部５２は、現在の時刻が、図２で説明した「朝」、「昼」、「夜」の何れに該当するかを判定し、対応するメッセージを表示する。例えば、現在の時刻が「朝」の時間帯に含まれる場合、処理Ｓ６３では、図２に示す『支援サービスは効果があります。お散歩も一緒に行こうね！』とのメッセージ（第１メッセージ）が表示される。一般に、ストレスを受けている状態において、保護者は、ストレスを軽減するために、どのような行動をとれば良いか分からなくなることがある。本実施形態では、このような状態において、保護者に対し、適切な行動をとることを促すことができるため、保護者は、効果的にストレスを軽減することができる。
【０１０３】
＜乳幼児：ストレス、保護者：リラックス＞
一方、保護者がリラックス状態にある場合（Ｓ６２：リラックス）、メッセージ表示処理部５２は、乳幼児をリラックスさせるための行動を促すメッセージを、画面２３に表示させる（Ｓ６４：第１表示処理）。例えば、現在の時刻が「朝」の時間帯に含まれる場合、処理Ｓ６４では、『語りかけ、読み聞かせ、抱っこしてね！』とのメッセージ（第１メッセージ）が表示される。したがって、保護者は、メッセージに基づいた行動をとることで、乳幼児のストレスを減らすことが可能となる。また、これにより、保護者が乳幼児から受けるストレス（育児ストレス）も小さくすることができる。
【０１０４】
＜乳幼児：リラックス、保護者：ストレス＞
また、メッセージ表示処理部５２は、処理Ｓ６１において、乳幼児がリラックス状態にある場合（Ｓ６１：リラックス）、保護者の状態を判定する（Ｓ６５）。保護者がストレス状態にある場合（Ｓ６５：ストレス）、メッセージ表示処理部５２は、保護者をリラックスさせるための行動を促すメッセージを、画面２３に表示させる（Ｓ６６：第１表示処理）。例えば、現在の時刻が「朝」の時間帯に含まれる場合、処理Ｓ６６では、『深呼吸してね！  ファミリーサポートも利用してね！』とのメッセージ（第１メッセージ）が表示される。したがって、保護者は、自己のストレスを低減するために適切な行動をとることができる。
【０１０５】
＜乳幼児：リラックス、保護者：リラックス＞
一方、保護者がリラックス状態にある場合（Ｓ６５：リラックス）、メッセージ表示処理部５２は、保護者及び乳幼児の活動を促すメッセージを、画面２３に表示させる（Ｓ６７：第１表示処理）。例えば、現在の時刻が「朝」の時間帯に含まれる場合、処理Ｓ６７では、『おでかけしようね！』とのメッセージ（第１メッセージ）が表示される。したがって、保護者及び乳幼児は、リラックスした状態で交流することができるため、保護者は乳幼児との絆を深めることができる。なお、図１８においては便宜上省略したが、メッセージ表示処理部５２は、処理Ｓ６３〜Ｓ６７において、メッセージを示す画像に加え、キャラクター等の画像を、画面２３に表示させる。
【０１０６】
＜さくらちゃん：ストレス、ゆきこさん：リラックス＞
ここで、本実施形態では、例えば、さくらちゃんはストレス状態にあり、ゆきこさんはリラックス状態にある。また、メッセージ表示処理が実施された際の現在の時刻は、１９時であるため、「夜」の時間帯である。したがって、メッセージ表示処理部５２は、処理Ｓ６４に基づいて、図１９に示すように、メッセージを示す画像２７０，２７２と、キャラクターの画像２７１を含む画面７７を、画面２３に表示させる。ここで、画像２７０は、『入浴後ベビーマッサージをしてね！』とのメッセージ（第１メッセージ）である。また、画像２７２は、ベビーマッサージの関連動画を画面２３で再生させるためのアイコンであり、『ベビーマッサージの紹介動画をみる』とのメッセージを含む。例えば、利用者が画像２７２をタップすると、ベビーマッサージの方法を紹介する動画が画面２３に再生される。また、この際、ベビーマッサージに関する情報（アドバイス）が画面２３に表示されることとしても良い。このような画面７７が表示されるため、ゆきこさんは、アドバイスに従いさくらちゃんお風呂に入れ、マッサージをスムーズに施すことができるため、さくらちゃんのストレスを効果的に軽減できる。
【０１０７】
＜＜実施確認処理（Ｓ６）＞＞
図２０は、メッセージの内容が実施されたかを確認するためのフローチャートであり、図２１は、メッセージの内容が実施されたかを確認するための画面７８である。また、図２２は、メッセージの内容が実施された際に表示される画面７９である。
【０１０８】
まず、実施確認処理部５３は、メッセージの内容が実施されたかを確認するための画面７８を、画面２３に表示させる（Ｓ７０：第６表示処理）。画面７８は、メッセージの内容の実施の有無に関する質問を示す画像２８０と、質問結果を受け付けるための画像２８１とを含む。なお、画像２８０は、『入浴後ベビーマッサージをしましたか？』とのメッセージ（第６メッセージ）であり、画像２８１は、『はい  いいえ』との選択肢が表されている。
【０１０９】
保護者が、画面２３をタップして、メッセージの内容を実施したか否かを入力すると、実施確認処理部５３は、実施したか否かを示す情報（実施情報）を受け付ける（Ｓ７１：実施情報受付処理）。そして、実施確認処理部５３は、受け付けた情報に基づいて、メッセージの内容が実施されたか否かを判定する（Ｓ７２：第３判定処理）。実施確認処理部５３は、メッセージ内容が実施されていないと判定すると（Ｓ７２：Ｎｏ）、処理を終了する。一方、実施確認処理部５３は、メッセージ内容が実施された判定すると（Ｓ７２：Ｙｅｓ）、心拍を測定する対象者を判定する（Ｓ７３）。
【０１１０】
ここで、実施確認処理部５３は、上述した乳幼児の状態判定処理（Ｓ２）での判定結果と、保護者の状態判定処理（Ｓ４）での判定結果、に基づいて、対象者を判定する。具体的には、実施確認処理部５３は、乳幼児及び保護者の何れか一方がストレス状態にある場合、ストレス状態にある方を対象者とする。また、乳幼児及び保護者の状態が同じである場合、実施確認処理部５３は、例えば、よりストレス度合いが高い者（閾値と心拍数との差がより大きい者）を対象者とする。なお、本実施形態では、さくらちゃんがストレス状態にあり、ゆきこさんはリラックス状態にあるため、さくらちゃんが測定対象となる。
【０１１１】
測定対象者が乳幼児の場合（Ｓ７３：乳幼児）乳幼児の心拍測定処理（Ｓ７４）と、乳幼児の状態判定処理（Ｓ７５）が実行される。測定対象者が保護者の場合（Ｓ７３：保護者）、保護者の心拍測定処理（Ｓ７６）と、保護者の状態判定処理（Ｓ７７）が実行される。なお、処理Ｓ７４，Ｓ７５のそれぞれは、上述した処理Ｓ１，Ｓ２と同様であり、処理Ｓ７６，Ｓ７７のそれぞれは、上述した処理Ｓ３，Ｓ４と同様である。このため、ここでは、処理Ｓ７４〜Ｓ７７の詳細な説明は省略する。
【０１１２】
そして、乳幼児の状態判定処理（Ｓ７５）または保護者の状態判定処理（Ｓ７７）が実行されると、実施確認処理部５３は、今回の処理で得られた結果と、前回の処理の結果とを比較し、比較結果とメッセージを含む画面７９を、画面２３に表示させる（Ｓ７８：第７表示処理）。具体的には、乳幼児に関する処理Ｓ７４，Ｓ７５が実行された場合、実施確認処理部５３は、処理Ｓ７４，Ｓ７５の結果（今回の結果）と、前回の処理Ｓ１，Ｓ２の結果（前回の結果）とを比較する。一方、保護者に関する処理Ｓ７６，Ｓ７７が実行された場合、実施確認処理部５３は、処理Ｓ７６，Ｓ７７の結果（今回の結果）と、前回の処理Ｓ３，Ｓ４の結果（前回の結果）とを比較する。
【０１１３】
本実施形態では、図１９の画像２７０のメッセージ『入浴後ベビーマッサージをしてね！』に基づいて、ゆきこさんが、さくらちゃんをお風呂に入れた後、ベビーマッサージを行ったこととする。このような場合、実施確認処理部５３は、さくらちゃんの心拍の比較結果及び状態を示す画像２９０と、さくらちゃんからのメッセージを示す画像２９１を含む画面７９を表示させる。なお、画像２９０は、『さくらちゃんの心拍が〇〇下がりました。リラックスしています。』とのメッセージであり、画像２９１は、『ママありがとう！  ベビーマッサージでリラックスできたよ！』とのメッセージである。このようなメッセ―ジが表示されるため、保護者は、メッセージ内容を実施することの効果を実感できる。また、効果が実感できることから、保護者は、心拍測定を長期間にわたって続け易くなるため、特に乳幼児の経過観察（長期間にわたる心拍の変化の把握等）が容易となる。
【０１１４】
＝＝交換神経、副交感神経による判定＝＝
本実施形態では、心拍数と閾値とを比較することにより、測定者の状態を判定したが、例えば、心拍数の周波数解析から得られる、「交換神経」のレベル及び「副交感神経」のレベルを用いても良い。
【０１１５】
具体的には、測定者の心拍数から、交換神経と、副交感神経とを取得し、交換神経が副交感神経より高いと、「ストレス状態」と判定し、副交感神経が交換神経より高いと、「リラックス状態」と判定する。ただし、喜びが大きく、感情が高ぶっている場合（いわゆる、ウキウキしている状態）や、興奮している状態には、交換神経が副交感神経より高くなる。このため、「ストレス状態」と判定されても、必ずしも、「ストレス状態」でないこともある。
【０１１６】
一方、「副交感神経」が高く、「リラックス状態」と判定されても、測定者が単に疲れている場合もある。したがって、例えば、図１１に示す、画面７２において、疲れている（ご機嫌が悪い）か、元気（ご機嫌が良い）であるかを示す「主観情報」を入力させ、受付させる画像Ａ（アイコン等）を設けても良い。なお、「主観情報」は、保護者が、乳幼児の状況、または自身の状況から主観的に対象者の機嫌を判断して定められる情報である。
【０１１７】
このような場合、表示処理部１２２ａ，１２２ｂは、交換神経と、副交感神経と、「主観情報」とに基づいて、メッセージを表示させても良い。具体的には、乳幼児の交換真剣が副交感神経より高く、「主観情報」が「ご機嫌が良い」である場合、『機嫌が良く活発な状態ですね！少し遊んであげた後、ゆったり過ごすと良い睡眠につながるかもしれません。』とのメッセージを表示させる。このような「主観情報」が参照されることにより、ストレス低減に効果的なアドバスが提供可能となる。
【０１１８】
＝＝月齢入力について＝＝
本実施形態では、乳幼児の月齢を、乳幼児の心拍測定処理（Ｓ１）において、受け付けることとしたが、これに限られない。例えば、乳幼児の「プロフィール」を設定する際に、月齢を合わせて入力させても良い。具体的には、プログラム４０が起動され、乳幼児の「プロフィール」を入力させる入力画面（不図示）が表示された際に、保護者は、乳幼児の「名前」、「月齢」、「身長」、「体重」等を入力しても良い。なお、入力画面（不図示）で入力された情報は、記憶部２０に格納される。そして、入力画面（不図示）で入力され、記憶部２０に記憶された「月齢」を示す情報から、例えば計算処理部１０４に、乳幼児の現在の「月齢」を計算させても良い。なお、計算処理部１０４が乳幼児の現在の「月齢」を計算すると、閾値処理部１２０ａは、計算された「月齢」を用いて、閾値Ｔａを定めることができる。したがって、このような場合であっても、本実施形態と同様に、精度良く乳幼児の状態を判定できる。
【０１１９】
なお、乳幼児の心拍測定処理（Ｓ１）の処理Ｓ１２等のタイミングで、「身長」、「体重」を入力させることとしても良い。例えば、閾値Ｔａが「月齢」のみならず、「身長」、「体重」により変化する場合、これらの情報を用いることにより、精度よく乳幼児の状態を判定できる。
【０１２０】
また、「プロフィール」を入力させる入力画面（不図示）では、乳幼児及び保護者の各種情報（名前、体型等）が入力されても良い。
【０１２１】
＝＝「平均成人心拍数」について＝
本実施形態では、閾値データ４１ｂを、「平均成人心拍数」を示す所定の値（閾値Ｔｂ）であることとしたがこれに限られない。閾値データ４１ｂの閾値を、例えば、「性別」、「年齢」、「体型（身長・体重）」に応じて変化させても良い。具体的には、前述の様々な項目（性別、年齢、体型）に基づいて定まる複数の閾値を、閾値データ４１ｂとし、記憶部２０に記憶させる。そして、閾値処理部１２０ｂは、予め記憶部２０に記憶された、保護者の「性別」、「年齢」、「体型」の情報を参照し、閾値データ４１ｂの中から、最適な閾値を取得しても良い。なお、保護者の「性別」、「年齢」、「体型」等は、予め保護者が端末１０を操作することにより、記憶部２０に記憶されていることとする。このような閾値データ４１ｂを用いることにより、保護者の状態をより精度良く判定できる。なお、上述した「性別」等の項目以外に、例えば、保護者と同じ位の月齢の乳幼児がいるか否かに基づいて、閾値を変化させても良い。このような場合、そして、閾値処理部１２０ｂは、保護者の「性別」等の項目と、「乳幼児の月齢」とに基づいて、最適な閾値を選択することになる。
【０１２２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１２３】
本実施形態では、保護者が、乳幼児の母親であることとしたが、例えば、父親、祖父母、兄、姉、または血縁関係にない者であっても良い。
【０１２４】
また、乳幼児と保護者との関係でなく、例えば、高齢者や障害を有している者（被介護者）と、介護者との関係であっても、介護者は、端末１０のプログラム４０を用い、ストレスを軽減できる。
【０１２５】
また、本実施形態では、心拍数と閾値とが比較されることにより、ストレス状態、リラックス状態が判定されたが、これに限られない。例えば、「自律神経のパワー」や心拍の周波数解析結果に基づいて、測定者の状態が判定されても良い。
【０１２６】
メッセージ表示処理部５２は、処理Ｓ６０にて、現在の時刻を示す「時刻情報」を取得したが、これに限られない。一般に、乳幼児や保護者の心拍が測定されてから、保護者へのメッセージが表示されるまでの時間間隔は短い。このため、例えば、処理Ｓ６０において、乳幼児や保護者の心拍が測定された際の時刻を示す「時刻情報」を、メッセージ表示処理部５２が取得しても良い。このような場合であっても、画面２３に表示されるメッセージは、適切なものとなる。
【０１２７】
また、本実施形態では、乳幼児の心拍が測定された後に、保護者の心拍が測定されたが、これに限られない。例えば、保護者の心拍が測定された後に、乳幼児の心拍が測定されても良い。また、両者の心拍が測定された後に、両者の状態の判定が実行されても良い。
【０１２８】
また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【０１２９】
１０  端末
２０  記憶部
２１  制御部
２２  入力部
２３  画面
２４  カメラ
２５  加速度計
２６  計時部
２７  通信部
４０  プログラム
４１ａ，４１ｂ  閾値データ
４２ａ，４２ｂ  履歴データ
４３  メッセージデータ
５０  測定処理部
５１ａ，５１ｂ  状態判定処理部
５２  メッセージ表示処理部
５３  実施確認処理部
７０〜７９  画面
１００，１２２ａ，１２２ｂ  表示処理部
１０１  受付処理部
１０２  加速度測定処理部
１０３  心拍測定処理部
１０４  計測処理部
１２０ａ，１２０ｂ  閾値処理部
１２１ａ，１２１ｂ  判定処理部
２００〜２０４，２１０〜２１３，２２０〜２２２，２３０〜２３２，２４０〜２４３，２５０〜２５２，２６０〜２６３，２７０〜２７２，２８０，２８１，２９０，２９１  画像
【図１】
2019130488.tif 000003
【図２】
2019130488.tif 000004
【図３】
2019130488.tif 000005
【図４】
2019130488.tif 000006
【図５】
2019130488.tif 000007
【図６】
2019130488.tif 000008
【図７】
2019130488.tif 000009
【図８】
2019130488.tif 000010
【図９】
2019130488.tif 000011
【図１０】
2019130488.tif 000012
【図１１】
2019130488.tif 000013
【図１２】
2019130488.tif 000014
【図１３】
2019130488.tif 000015
【図１４】
2019130488.tif 000016
【図１５】
2019130488.tif 000017
【図１６】
2019130488.tif 000018
【図１７】
2019130488.tif 000019
【図１８】
2019130488.tif 000020
【図１９】
2019130488.tif 000021
【図２０】
2019130488.tif 000022
【図２１】
2019130488.tif 000023
【図２２】
2019130488.tif 000024
【国際調査報告】
2019130488.tif 000025
2019130488.tif 000026